(57)【要約】【課題】犬や猫の抜け毛やゴミを安全に掻き取ることができるとともに、掻き取った抜けやゴミを簡単に回収することができるペット用ブラシ装置を提供する。【解決手段】粘着テープロール５を回転可能に支持する粘着テープロール支持部４と、ピン状のブラシ毛３１が多数植設されたブラシ部３とを備え、粘着テープロール５から繰り出された粘着テープ５１の一部を、その粘着面５２がブラシ毛３１の先端側を向くようにブラシ毛３１に刺入して、ブラシ部３で捕捉された毛を粘着テープ５１の粘着面５２で回収する。【選択図】図２
2008279097.tif 000002
【特許請求の範囲】
【請求項１】
粘着テープロールを回転可能に支持する粘着テープロール支持部と、ピン状のブラシ毛が多数植設されたブラシ部とを有し、上記粘着テープロールから繰り出された粘着テープの一部が、その粘着面を上記ブラシ毛の先端側を向くようにして上記ブラシ毛に刺入可能であり、上記ブラシ部で捕捉された毛を上記粘着テープの粘着面で回収することを特徴とするペット用ブラシ装置。
【請求項２】
上記粘着テープは上記粘着テープロールから繰り出されて途中で切り離されることなく、上記ブラシ毛に刺入可能であることを特徴とする請求項１に記載のペット用ブラシ装置。
【請求項３】
上記粘着テープロールは、その粘着面が表側を向くように巻回されていることを特徴とする請求項１または２に記載のペット用ブラシ装置。
【請求項４】
上記粘着テープロール支持部は、上記ブラシ部の背面側（反毛先側）に設けられていることを特徴とする請求項１，２または３に記載のペット用ブラシ装置。
【発明の詳細な説明】
【技術分野】
【０００１】
本発明は、犬や猫などのペットの毛をブラッシングするためのペット用ブラシ装置に関し、さらに詳しく言えば、ブラッシングによって掻き集められた抜け毛を簡単に集めて捨てることができるペット用ブラシ装置に関する。
【背景技術】
【０００２】
犬や猫などの動物は、定期的に毛が抜け替わるため、ブラッシングして毛並みを整えてあげることが好ましい。例えば特許文献１に示すように、ペット用ブラシは、多数のピン状のブラシ毛が植設されたブラシ台を備えており、このブラシ台をペットの体表面に沿って擦りつけることでブラシに毛が掻き集められるようになっている。
【０００３】
とりわけ、特許文献１に記載のペット用ブラシは、パイプの一端にブラシ台が一体的に形成されており、パイプの他端を掃除器の吸引パイプに接続することにより、ブラッシングによって抜け落ちた毛を同時に掃除器で吸い取ることができる吸引ブラシになっている。
【０００４】
【特許文献１】特開２００１−１９０１７４号公報
【発明の開示】
【発明が解決しようとする課題】
【０００５】
しかしながら、特許文献１に記載のペット用ブラシには、次のような問題があった。すなわち、犬や猫の多くは、掃除器の駆動音（吸引音）に怯えることが多く、単に掃除器を見ただけで逃げ出すといった場合もあり、このような場合では掃除器を駆動しながら、ブラッシングがけを行うことが極めて難しい。
【０００６】
また、このペット用ブラシは、ブラシ毛が金属製などの硬質なピン状であるため、ペットの顔や口回りを直接ブラッシングすることは危険であった。また、ブラシ毛の植設間隔が広く設計されているため、体毛を掻き取ることはできても、体毛に絡みついた埃やゴミなど微少ゴミを除去することはできず、ブラッシングによってこれらゴミが飛散してすることがあった。
【課題を解決するための手段】
【０００７】
そこで、本発明は上述した課題を解決するため、犬や猫の抜け毛やゴミを安全に掻き取ることができるとともに、掻き取った抜けやゴミを簡単に回収することができるペット用ブラシ装置を提供することにある。
【０００８】
上述した目的を達成するため、本発明は以下に示すいくつかの特徴を備えている。請求項１に記載の発明は、粘着テープロールを回転可能に支持する粘着テープロール支持部と、ピン状のブラシ毛が多数植設されたブラシ部とを有し、上記粘着テープロールから繰り出された粘着テープの一部が、その粘着面を上記ブラシ毛の先端側を向くようにして上記ブラシ毛に刺入可能であり、上記ブラシ部で捕捉された毛を上記粘着テープの粘着面で回収することを特徴としている。
【０００９】
請求項２に記載の発明は、上記請求項１において、上記粘着テープは上記粘着テープロールから繰り出されて途中で切り離されることなく、上記ブラシ毛に刺入可能であることを特徴としている。
【００１０】
請求項３に記載の発明は、上記請求項１または２において、上記粘着テープロールは、その粘着面が表側を向くように巻回されていることを特徴としている。
【００１１】
請求項４に記載の発明は、上記請求項１，２または３において、上記粘着テープロール支持部は、上記ブラシ部の背面側（反毛先側）に設けられていることを特徴としている。
【発明の効果】
【００１２】
請求項１に記載の発明によれば、ブラシ毛に粘着テープの粘着面が表側（毛先側）を向くように差し込んだ状態でブラッシングを行うことにより、ブラッシングによって掻き集められた抜け毛を粘着面で捕捉することができるばかりでなく、ブラッシング後は粘着テープをブラシ毛から持ち上げながら取り去ることで、ブラシ毛に絡みついた抜け毛を簡単に回収して捨てることができる。
【００１３】
請求項２に記載の発明によれば、粘着テープロールから繰り出された粘着テープが途中で切り離されることなく、ブラシ毛に刺入可能であることにより、粘着テープロールから繰り出した粘着テープを直接ブラシ毛に簡単に差し込むことができる。
【００１４】
請求項３に記載の発明によれば、粘着テープロールは粘着面が表側を向くように巻回されていることにより、粘着テープロールの粘着面をペットの体表面に直に接触させながら転がすことで、体表面に付着した抜け毛やゴミを粘着面で捕らえることができる。
【００１５】
請求項４に記載の発明によれば、粘着テープロール支持部とブラシ部とを背中合わせに配置したことにより、ブラシと粘着テープロールの２パターンの清掃方法を用途に応じて使い分けすることができる。
【発明を実施するための最良の形態】
【００１６】
次に、本発明の実施形態について図面を参照しながら説明するが、本発明はこの限りではない。図１は、本発明の一実施形態に係るペット用ブラシ装置の斜視図であり、図２はその使用状態を示す斜視図である。
【００１７】
図１に示すように、このペット用ブラシ装置１は、手によって把持されるグリップ部２を有し、その一端にブラシ部３と粘着テープロール支持部４とが一体的に形成されている。この例において、グリップ部２、ブラシ部３および粘着テープロール支持部４は合成樹脂の一体成型品からなる。
【００１８】
グリップ部２は、手によって把持される棒状を呈し、その先端には、グリップ部２に対して相対的にＴ状のフレーム２１が一体的に形成されている。フレーム２１の先端には、ブラシ部３が配置されている。
【００１９】
ブラシ部３は、フレーム２１の先端部をブラシ台として、ピン状のブラシ毛３１が所定間隔で多数植設されている。この例において、ブラシ毛３１は、金属製のピンからなるが、これ以外に合成樹脂製であってもよいが、後述する粘着テープ２１を刺入可能な強度を備えていれば、仕様に応じて任意に選択できる。
【００２０】
粘着テープロール支持部４は、ブラシ部３の背面に背中合わせに配置されている。これによれば、粘着テープロール５から繰り出された粘着テープ５１が途中で切断されることなく、ブラシ毛３１に刺入することができる。
【００２１】
フレーム２１の両端には、粘着テープロール５を回転可能に支持するための一対の支持アーム４１，４１が左右対称に設けられている。
【００２２】
支持アーム４１，４１には、図示しない軸受部が同軸的に設けられており、この軸受部を粘着テープロール５の巻芯にそって差し込むことにより、支持アーム４１，４１の間に粘着テープロール５が回転可能に架け渡されるようになっている。
【００２３】
粘着テープロール５は、帯状の紙製基材の一方の面に粘着面５２が形成された粘着テープ５１を、その粘着面５１が表側を向くように巻芯（図示しない）に沿って多重に巻回したものからなる。この例において、粘着テープ５１の幅方向の両端には、粘着性を持たない未粘着部（ドライエッジ部）が設けられている。
【００２４】
粘着テープ５１を構成する基材は、少なくともブラシ部３のブラシ毛３１に刺入しても破れることがない強度を備えていればよく、その材質や形態などは、仕様に応じて任意である。この例では、紙製基材の一方の面に補強用のフィルムシートが張り合わされた補強基材が用いられている。
【００２５】
基材に塗布される粘着剤の種類は、弱粘着タイプや強粘着タイプ、発泡タイプなどが任意に選択して用いられる。この例において、粘着剤は基材に一様に塗布された、いわゆるベタ塗りであるが、これ以外にスジ状に塗布されていてもよいし、スポット状（島状）に塗布されていてもよく、その塗布形態は仕様に応じて任意に変更可能である。
【００２６】
次に、このペット用ブラシ装置１の使用手順の一例について説明する。まず最初に、図２に示すように、粘着テープロール５から粘着テープ５１の端部を手で把持し、粘着面５２が上を向くようにした状態でブラシ部３まで繰り出す。
【００２７】
次に、粘着テープ５１をブラシ毛３１に押し当てながら強く押し込んで、粘着テープ５１をブラシ毛３１に差し込む。これにより、ブラシ部３の底部に粘着テープ５１が差し込まれた状態で保持される。
【００２８】
この状態で使用者は、図３に示すように、グリップ部２を手で把持しながら、ペットの体表面Ｓに沿ってブラシ部３でブラッシングすることにより、ブラシ毛３１に体毛Ｈが掻き取られるとともに、その抜け毛の一部が粘着テープ５１の粘着面５２によって捕捉される。
【００２９】
ブラッシングが終わった後は、まず粘着テープ５１に設けられた図示しない切れ目に沿って粘着テープ５１を切断したのち、粘着テープ５１を上に持ち上げてブラシ毛３１から引き抜く。これにより、ブラシ毛３１に絡みついた抜け毛をまとめて粘着テープ５１で回収することができる。
【００３０】
また、粘着面５２が表側を向くように巻回された粘着テープロール５を用いた場合は、別の態様として次のような使用方法もある。すなわち、図４に示すように、ペットの体表面には、埃やゴミなどのゴミが付着しているばかりでなく、ダニなどの寄生虫も付着している。これらはブラシ毛３１の植設間隔が広いため、ブラシ部３で掻き出すことはできても、捕捉することはできない。
【００３１】
そこで、ペットの体表面Ｓに粘着テープロール５の粘着面５２を直接押し当てて転がすことにより、体表面Ｓに付着したゴミなどを粘着面５２で捕捉することができる。とりわけ、ブラッシング後にこの作業を行うことで、体表面Ｓに付着した抜け毛やゴミをより確実に回収することができる。
【００３２】
この例において、粘着テープロール５は粘着面５２が表側を向くように巻回されているが、これ以外に、粘着面５２が内側（巻芯側）を剥くように巻回された粘着テープロール５を用いてもよい。また、両面粘着テープであってもよい。
【００３３】
また、この例において、粘着テープ５１にはほぼ１周長ごとに切断用の切れ目（図示しない）が設けられているが、切れ目の位置や構成は任意であってよく、また、フレーム２１の一部に切断用の刃を設けてもよい。
【図面の簡単な説明】
【００３４】
【図１】本発明の一実施形態に係るペット用ブラシ装置の斜視図。
【図２】上記ペット用ブラシ装置の使用状態を示す斜視図。
【図３】上記ペット用ブラシ装置の使用手順を説明する説明図。
【図４】上記ペット用ブラシ装置の使用手順を説明する説明図。
【符号の説明】
【００３５】
１  ペット用ブラシ装置
２  グリップ部
３  ブラシ部
４  粘着テープロール支持部
５  粘着テープロール
【図１】
2008279097.tif 000003
【図２】
2008279097.tif 000004
【図３】
2008279097.tif 000005
【図４】
2008279097.tif 000006